(57)【要約】  【課題】  管理対象であるネットワーク端末に対する自由度の高いファイル送信を可能とするとともに、管理者の管理負担の軽減に寄与することのできる技術を提供する。  【解決手段】  管理対象であるネットワーク端末に対する所定のファイルの送信を行うファイル送信装置であって、管理対象である複数のネットワーク端末の内からファイル送信の対象となるネットワーク端末を選択する端末選択部と、前記端末選択部にて選択されたネットワーク端末に対して送信すべきファイルを選択する送信ファイル選択部と、前記送信ファイル選択部にて選択されたファイルを前記端末選択部にて選択されたネットワーク端末に対して送信すべき時刻を設定する時刻設定部と、前記時刻設定部にて設定された時刻に、前記送信ファイル選択部にて選択されたファイルを前記端末選択部にて選択されたネットワーク端末に対して送信するファイル送信部とを有する。  【選択図】  図１
2006318235.tif 000002
【特許請求の範囲】
【請求項１】
管理対象であるネットワーク端末に対する所定のファイルの送信を行うファイル送信装置であって、
管理対象である複数のネットワーク端末の内からファイル送信の対象となるネットワーク端末を選択する端末選択部と、
前記端末選択部にて選択されたネットワーク端末に対して送信すべきファイルを選択する送信ファイル選択部と、
前記送信ファイル選択部にて選択されたファイルを前記端末選択部にて選択されたネットワーク端末に対して送信すべき時刻を設定する時刻設定部と、
前記時刻設定部にて設定された時刻に、前記送信ファイル選択部にて選択されたファイルを前記端末選択部にて選択されたネットワーク端末に対して送信するファイル送信部と
を有するファイル送信装置。
【請求項２】
請求項１に記載のファイル送信装置において、
送信ファイル選択部は、前記端末選択部にて選択されたネットワーク端末に予め対応付けられている所定のファイルを選択するファイル送信装置。
【請求項３】
請求項１に記載のファイル送信装置において、
前記ファイル送信部は、前記時刻設定部にて設定された時刻におけるファイルの送信に失敗した場合、該ファイルの送信に失敗した日の翌日の同時刻に前記送信ファイル選択部にて選択されたファイルを前記端末選択部にて選択されたネッ
トワーク端末に対して再度送信するファイル送信装置。
【請求項４】
管理対象であるネットワーク端末に対する所定のファイルの送信を行うファイル送信方法であって、
管理対象である複数のネットワーク端末の内からファイル送信の対象となるネットワーク端末を選択する端末選択ステップと、
前記端末選択ステップにて選択されたネットワーク端末に対して送信すべきファイルを選択する送信ファイル選択ステップと、
前記送信ファイル選択ステップにて選択されたファイルを前記端末選択ステップにて選択されたネットワーク端末に対して送信すべき時刻を設定する時刻設定ステップと、
前記時刻設定ステップにて設定された時刻に、前記送信ファイル選択ステップにて選択されたファイルを前記端末選択ステップにて選択されたネットワーク端末に対して送信するファイル送信ステップと
を有するファイル送信方法。
【請求項５】
請求項４に記載のファイル送信方法において、
送信ファイル選択ステップは、前記端末選択ステップにて選択されたネットワーク端末に予め対応付けられている所定のファイルを選択するファイル送信方法。
【請求項６】
請求項４に記載のファイル送信方法において、
前記ファイル送信ステップは、前記時刻設定ステップにて設定された時刻におけるファイルの送信に失敗した場合、該ファイルの送信に失敗した日の翌日の同時刻に前記送信ファイル選択ステップにて選択されたファイルを前記端末選択ステップにて選択されたネットワーク端末に対して再度送信するファイル送信方法。
【請求項７】
管理対象であるネットワーク端末に対する所定のファイルの送信をコンピュータに実行させるファイル送信プログラムであって、
管理対象である複数のネットワーク端末の内からファイル送信の対象となるネットワーク端末を選択する端末選択ステップと、
前記端末選択ステップにて選択されたネットワーク端末に対して送信すべきファイルを選択する送信ファイル選択ステップと、
前記送信ファイル選択ステップにて選択されたファイルを前記端末選択ステップにて選択されたネットワーク端末に対して送信すべき時刻を設定する時刻設定ステップと、
前記時刻設定ステップにて設定された時刻に、前記送信ファイル選択ステップにて選択されたファイルを前記端末選択ステップにて選択されたネットワーク端末に対して送信するファイル送信ステップと
をコンピュータに実行させるファイル送信プログラム。
【請求項８】
請求項７に記載のファイル送信プログラムにおいて、
送信ファイル選択ステップは、前記端末選択ステップにて選択されたネットワーク端末に予め対応付けられている所定のファイルを選択するファイル送信プログラム。
【請求項９】
請求項７に記載のファイル送信プログラムにおいて、
前記ファイル送信ステップは、前記時刻設定ステップにて設定された時刻におけるファイルの送信に失敗した場合、該ファイルの送信に失敗した日の翌日の同時刻に前記送信ファイル選択ステップにて選択されたファイルを前記端末選択ステップにて選択されたネットワーク端末に対して再度送信するファイル送信プログラム。
【発明の詳細な説明】
【技術分野】
【０００１】
本発明は、ファイル送信装置、ファイル送信方法およびファイル送信プログラムに関するものである。
【背景技術】
【０００２】
従来、管理対象としての複数のネットワーク端末に対して、ソフトウェア更新用のファイルを送信する技術が知られる（例えば、特許文献１参照。）。
【特許文献１】特開２００４−１３９５７２号公報
【発明の開示】
【発明が解決しようとする課題】
【０００３】
しかし、上記従来技術では管理対象である複数のネットワーク端末それぞれの稼働状況や仕様等に対応した自由度の高いファイル送信（例えば、管理対象であるネットワーク端末が稼働していない時間帯を選んでファイル送信を行う等）は困難である。また、このような自由度の高いファイル送信を実現する場合、これら複数のネットワーク端末を管理する管理者への管理負担が重く、問題となっていた。
【０００４】
本発明は上述した問題点を解決するためになされたものであり、管理対象であるネットワーク端末に対する自由度の高いファイル送信を可能とするとともに、管理者の管理負担の軽減に寄与することのできる技術を提供することを目的とする。
【課題を解決するための手段】
【０００５】
上述した課題を解決するため、本発明に係るファイル送信装置は、管理対象であるネットワーク端末に対する所定のファイルの送信を行うファイル送信装置であって、管理対象である複数のネットワーク端末の内からファイル送信の対象となるネットワーク端末を選択する端末選択部と、前記端末選択部にて選択されたネットワーク端末に対して送信すべきファイルを選択する送信ファイル選択部と、前記送信ファイル選択部にて選択されたファイルを前記端末選択部にて選択されたネットワーク端末に対して送信すべき時刻を設定する時刻設定部と、前記時刻設定部にて設定された時刻に、前記送信ファイル選択部にて選択されたファイルを前記端末選択部にて選択されたネットワーク端末に対して送信するファイル送信部とを有することを特徴とするものである。
【０００６】
また、本発明に係るファイル送信方法は、管理対象であるネットワーク端末に対する所定のファイルの送信を行うファイル送信方法であって、管理対象である複数のネットワーク端末の内からファイル送信の対象となるネットワーク端末を選択する端末選択ステップと、前記端末選択ステップにて選択されたネットワーク端末に対して送信すべきファイルを選択する送信ファイル選択ステップと、前記送信ファイル選択ステップにて選択されたファイルを前記端末選択ステップにて選択されたネットワーク端末に対して送信すべき時刻を設定する時刻設定ステップと、前記時刻設定ステップにて設定された時刻に、前記送信ファイル選択ステップにて選択されたファイルを前記端末選択ステップにて選択されたネットワーク端末に対して送信するファイル送信ステップとを有することを特徴とするものである。
【０００７】
また、本発明に係るファイル送信プログラムは、管理対象であるネットワーク端末に対する所定のファイルの送信をコンピュータに実行させるファイル送信プログラムであって、管理対象である複数のネットワーク端末の内からファイル送信の対象となるネットワーク端末を選択する端末選択ステップと、前記端末選択ステップにて選択されたネットワーク端末に対して送信すべきファイルを選択する送信ファイル選択ステップと、前記送信ファイル選択ステップにて選択されたファイルを前記端末選択ステップにて選択されたネットワーク端末に対して送信すべき時刻を設定する時刻設定ステップと、前記時刻設定ステップにて設定された時刻に、前記送信ファイル選択ステップにて選択されたファイルを前記端末選択ステップにて選択されたネットワーク端末に対して送信するファイル送信ステップとをコンピュータに実行させることを特徴とするものである。
【発明の効果】
【０００８】
以上に詳述したように本発明によれば、管理対象であるネットワーク端末に対する自由度の高いファイル送信を可能とするとともに、管理者の管理負担の軽減に寄与することのできる技術を提供することができる。
【発明を実施するための最良の形態】
【０００９】
以下、本発明の実施の形態について図面を参照しつつ説明する。
【００１０】
図１は、本実施の形態によるファイル送信装置について説明するための機能ブロック図である。
【００１１】
本実施の形態によるファイル送信装置１は、管理対象である複数のネットワーク端末２０１，２０２，・・・２０ｎとＬＡＮ等の電気通信回線を介して通信可能に接続されている。またファイル送信装置１は、当該ＬＡＮ内におけるローカルサーバとしての役割を有している。
【００１２】
また、ファイル送信装置１は当該ＬＡＮ外に配置されているセンタサーバ３とインターネット等の電気通信回線を介して通信可能となっている。
【００１３】
本実施の形態によるファイル送信装置１は、端末選択部１０１、送信ファイル選択部１０２、時刻設定部１０３、ファイル送信部１０４、ＣＰＵ１０５、メモリ１０６、操作入力部１０７および表示部１０８を備えてなる構成となっており、管理対象であるネットワーク端末に対する所定のファイルの送信を行う。
【００１４】
端末選択部１０１は、ユーザの操作入力に基づいて、管理対象である複数のネットワーク端末２０１，２０２，・・・２０ｎの内からファイル送信の対象となるネットワーク端末を選択する役割を有している。ここでは、送信されるファイルはセンターサーバ３から予め受信されているファームウェアの更新に用いる所定のファイルであり、ファイル送信の対象となるネットワーク端末は当該所定のファイルを送信する必要がある端末である。
【００１５】
送信ファイル選択部１０２は、ユーザの操作入力に基づいて、端末選択部１０１にて選択されたネットワーク端末に対して送信すべきファイルを選択する役割を有している。特に、ファームウェアの更新のように高度な専門知識を要する処理に用いるファイルを選択するのは、管理対象であるネットワーク端末を把握している管理者によることが好ましく、送信ファイル選択部１０２によって自由度の高い送信ファイル選択が実現できる。
【００１６】
もちろん、ファイルと当該ファイルの送信を必要とするネットワーク端末との対応関係を予め定めておき、当該対応関係に関するデータを例えばメモリ１０６に格納しておくことにより、送信ファイル選択部１０２が、当該対応関係に関するデータを利用して、端末選択部１０１にて選択されたネットワーク端末に予め対応付けられている所定のファイルを自動的に選択するような構成とすることもできる。
【００１７】
時刻設定部１０３は、ユーザの操作入力に基づいて、送信ファイル選択部１０２にて選択されたファイルを端末選択部１０１にて選択されたネットワーク端末に対して送信すべき時刻を設定する役割を有している。このように管理者が任意の送信時刻を設定できるようにすることで、例えば経験的に各ネットワーク端末の稼働率が低くなるような時間帯にファイル送信処理を行うことが可能となり、通信回線およびネットワーク端末への負担の軽減に寄与することができる。また、ファイルを送信したい時刻が深夜等の勤務時間外である場合でも、送信処理を予約することで管理者がその送信時刻まで労働せずに済む。
【００１８】
また、時刻設定部１０３は、端末選択部１０１にて選択されたネットワーク端末それぞれに対して互いに異なる任意の時刻を設定可能であり、これにより複数の端末へのファイル送信が同時に行われてファイル送信装置１における処理時刻が集中することを回避することもできる。なお、上述の端末選択部１０１による選択内容、送信ファイル選択部１０２による選択内容および時刻設定部１０３による設定内容は、メモリ１０６に格納されている。
【００１９】
ファイル送信部１０４は、時刻設定部１０３にて設定された時刻に、送信ファイル選択部１０２にて選択されたファイルを端末選択部１０１にて選択されたネットワーク端末に対して送信する役割を有している。
【００２０】
また、ファイル送信部１０４は、送信対象であるネットワーク端末の電源がＯＦＦであった等の理由により時刻設定部１０３にて設定された時刻におけるファイルの送信に失敗した場合、該ファイルの送信に失敗した日の翌日の同時刻に送信ファイル選択部１０２にて選択されたファイルを端末選択部１０１にて選択されたネットワーク端末に対して再度送信するようにすることもできる。
【００２１】
これにより、ファイル送信に失敗したことを受けて、管理者が再度ファイル送信についての設定をし直す必要がなくなり、管理負担の軽減に寄与することができる。
【００２２】
ＣＰＵ１０５は、ファイル送信装置における各種処理を行う役割を有しており、またメモリ１０６に格納されているプログラムを実行することにより種々の機能を実現する役割も有している。メモリ１０６は、例えばＲＯＭやＲＡＭ等から構成されており、ファイル送信装置において利用される種々の情報やプログラムを格納する役割を有している。
【００２３】
操作入力部１０７は、例えばキーボードやマウス等から構成されており、ユーザによる操作入力を受け付ける役割を有している。表示部１０８は、液晶ディスプレイ等から構成されており、ファイル送信装置における各種処理の内容等を画面表示する役割を有している。なお、操作入力部１０７および表示部１０８は、タッチパネルディスプレイ等によって一体的に実現することもできる。
【００２４】
図２は、本実施の形態によるファイル送信装置における処理の流れ（ファイル送信方法）について説明するためのフローチャートである。
【００２５】
まず端末選択部１０１は、管理対象である複数のネットワーク端末の内からファイル送信の対象となるネットワーク端末を選択する（端末選択ステップ）（Ｓ１０１）。
【００２６】
送信ファイル選択部１０２は、端末選択ステップにて選択されたネットワーク端末に対して送信すべきファイルを選択する（送信ファイル選択ステップ）（Ｓ１０２）。
【００２７】
時刻設定部１０３は、送信ファイル選択ステップにて選択されたファイルを端末選択ステップにて選択されたネットワーク端末に対して送信すべき時刻を設定する（時刻設定ステップ）（Ｓ１０３）。
【００２８】
ファイル送信部１０４は、時刻設定ステップにて設定された時刻に、送信ファイル選択ステップにて選択されたファイルを端末選択ステップにて選択されたネットワーク端末に対して送信する（ファイル送信ステップ）（Ｓ１０４）。
【００２９】
また、ファイル送信部１０４は、時刻設定ステップにて設定された時刻におけるファイルの送信に失敗した場合（Ｓ１０５，Ｎｏ）、該ファイルの送信に失敗した日の翌日の同時刻に送信ファイル選択ステップにて選択されたファイルを端末選択ステップにて選択されたネットワーク端末に対して再度送信する（Ｓ１０６）。
【００３０】
上述のファイル送信装置での処理における各ステップは、メモリ１０６に格納されているファイル送信プログラム（管理対象であるネットワーク端末に対する所定のファイルの送信をコンピュータに実行させる）をＣＰＵ１０５に実行させることにより実現されるものである。
【００３１】
図３〜図６は、本実施の形態によるファイル送信装置における送信時刻の設定からファイル送信完了までの表示部１０８における画面表示の例を示す図である。
【００３２】
まず、操作入力部１０７への操作入力によりファームウェア（Ｆ／Ｗ）の更新画面を呼び出す。ユーザはファームウェアを更新するネットワーク端末の機種、当該機種におけるどのファイルを更新するのか、どのネットワーク端末に対して送信するのか、を指定する。
【００３３】
ファイル送信処理開始時刻選択画面（図３参照）にて、「時刻指定」Ｔを選択し、端末へのファイル送信を行う時刻を選択する（ここでは「２２：００」に送信する設定としている）。このようにして処理開始時刻を入力後、「確定ボタン」を押下する。
【００３４】
そして、確認画面にてファイル送信の予約が完了していることを確認する。ここでは「Ｃ：￥ＷＯＲＫ￥Ｄｕｍｍｙ．ｚｉｐ」というファイルの送信の予約が１台のネットワーク端末（デバイス名「ＡＡＡ」）に対して完了している様子を示している（図４参照）。続いて、上述のようにして設定された時刻になると、画面上で「予約」と表示されていた状況が「実行中」に表示変更される（図５参照）。
【００３５】
予約されていた当該ファイル送信が正常に完了した場合、ファイル送信の結果として「正常」と表示され、状況として「完了」と表示される（図６参照）。
【００３６】
図７は、本実施の形態によるファイル送信装置における処理の詳細について説明するためのフローチャートである。
【００３７】
時刻設定部１０３により設定された時刻に到達すると（Ｓ２０１，Ｙｅｓ）、表示部１０８にてファイル送信の状況が「待機中」と表示される（Ｓ２０２）。ここで待機中とは、ネットワーク端末に対するファイル送信の準備中であることを意味している。
【００３８】
そして、ファイル送信の実行準備が完了すると（Ｓ２０３，Ｙｅｓ）、表示部１０８にてファイル送信の状況が「実行中」と表示される（Ｓ２０４）。
【００３９】
続いて、ファイル送信装置１より送信対象であるネットワーク端末に対して送信すべきファイルが送信される（ここでは、ファームウェアの更新処理に相当）（Ｓ２０５）。
【００４０】
ファイル送信が無事に完了すると（ファームウェアの更新処理が無事に完了すると）（Ｓ２０６，Ｙｅｓ）、表示部１０８にてファイル送信の状況が「完了」と表示され、結果が「正常」と表示される（Ｓ２０７）。
【００４１】
一方、ファイル送信が失敗すると（Ｓ２０６，Ｎｏ）、表示部１０８にてファイル送信の状況が「完了」と表示され、結果が「エラー」と表示される（Ｓ２０８）。
【００４２】
本実施の形態では装置内部に発明を実施する機能が予め記録されている場合で説明をしたが、これに限らず同様の機能をネットワークから装置にダウンロードしても良いし、同様の機能を記録媒体に記憶させたものを装置にインストールしてもよい。記録媒体としては、ＣＤ−ＲＯＭ等プログラムを記憶でき、かつ装置が読み取り可能な記録媒体であれば、その形態は何れの形態であっても良い。またこのように予めインストールやダウンロードにより得る機能は装置内部のＯＳ（オペレーティング・システム）等と共働してその機能を実現させるものであってもよい。
【００４３】
本発明を特定の態様により詳細に説明したが、本発明の精神および範囲を逸脱しないかぎり、様々な変更および改質がなされ得ることは、当業者には自明であろう。
【図面の簡単な説明】
【００４４】
【図１】本実施の形態によるファイル送信装置について説明するための機能ブロック図である。
【図２】本実施の形態によるファイル送信装置における処理の流れ（ファイル送信方法）について説明するためのフローチャートである。
【図３】本実施の形態によるファイル送信装置における送信時刻の設定からファイル送信完了までの表示部１０８における画面表示の例を示す図である。
【図４】本実施の形態によるファイル送信装置における送信時刻の設定からファイル送信完了までの表示部１０８における画面表示の例を示す図である。
【図５】本実施の形態によるファイル送信装置における送信時刻の設定からファイル送信完了までの表示部１０８における画面表示の例を示す図である。
【図６】本実施の形態によるファイル送信装置における送信時刻の設定からファイル送信完了までの表示部１０８における画面表示の例を示す図である。
【図７】本実施の形態によるファイル送信装置における処理の詳細について説明するためのフローチャートである。
【符号の説明】
【００４５】
１０１  端末選択部、１０２  送信ファイル選択部、１０３  時刻設定部、１０４  ファイル送信部、１０５  ＣＰＵ、１０６  メモリ、１０７  操作入力部、１０８  表示部。
【図１】
2006318235.tif 000003
【図２】
2006318235.tif 000004
【図３】
2006318235.tif 000005
【図４】
2006318235.tif 000006
【図５】
2006318235.tif 000007
【図６】
2006318235.tif 000008
【図７】
2006318235.tif 000009